(57)【要約】【課題】必要とするスペースを少なくすることができる蓋体開閉装置及び表示装置を提供する。【解決手段】蓋体開閉装置１は、開口Ｐを閉鎖可能に形成された蓋体１０と、蓋体１０に連結する蓋体レバー２０と、蓋体レバー２０に連結する蓋体レバーリンク３０と、蓋体１０が係合可能に形成された溝である下降ガイド溝４０とを備えている。蓋体１０は、Ｐ開口に収容可能に形成された蓋部１１と、蓋部１１に接続している蓋部リンク部１２とを有している。蓋体レバー２０は、蓋体レバーリンク３０の回動によってレバー軸線ｘ２周りに回動可能に支持され、蓋体１０は、蓋体レバー２０の回動に伴い、レバー軸線ｘ２側に移動するための下降力伝達突起１４及び下降ガイド突起１３と、開放方向に回動するための回動ガイド溝１５とが形成されている。【選択図】図１
2018197794.tif 000002
【特許請求の範囲】
【請求項１】
開口を該開口の開放方向の一方の側から閉鎖可能にする蓋体開閉装置であって、
前記開口を閉鎖可能に形成された蓋体と、
前記蓋体に連結する蓋体レバーと、
前記蓋体レバーに連結する蓋体レバーリンクと、
前記蓋体が係合可能に形成された溝である下降ガイド溝とを備え、
前記蓋体は、前記開口に収容可能に形成された蓋部と、該蓋部に接続している蓋部リンク部とを有しており、
前記蓋体レバーは、前記蓋体レバーリンクの回動によってレバー軸線周りに回動可能に支持され、
前記蓋体は、前記蓋体レバーの回動に伴い、前記レバー軸線側に移動するための下降力伝達突起及び下降ガイド突起と、前記開放方向に回動するための回動ガイド溝とが形成されていることを特徴とする蓋体開閉装置。
【請求項２】
前記蓋体レバーは、該蓋体レバーがレバー軸線周りに回動可能に支持されることを可能にするレバー被支持部と、前記蓋体レバーの延び方向において前記レバー被支持部に対して一方の側に設けられた溝である下降力伝達溝と、前記レバー被支持部に対して一方の側に設けられた突部である回動力伝達突起と、前記蓋体レバーの延び方向において前記レバー被支持部に対して他方の側に設けられているレバーリンク係合部とを有しており、
前記蓋体レバーリンクは、該蓋体レバーリンクが前記レバー軸線に平行に延びるレバーリンク軸線周りに回動可能に支持されることを可能にするリンク被支持部と、前記レバーリンク係合部に係合可能に形成されたレバー係合部とを有しており、
前記下降ガイド溝は、前記蓋体の前記蓋部リンク部に対向して延びており、前記蓋部リンク部側から凹んでおり、
前記蓋部の前記蓋部リンク部は、前記下降ガイド溝に収容される突部である前記下降ガイド突起と、前記下降ガイド突起とは反対の側に突出する突部である前記下降力伝達突起と、前記蓋部側から前記蓋部から離れる方向に延びる溝であって前記蓋体レバーの前記回動力伝達突起を収容する前記回動ガイド溝とを有しており、
前記蓋体レバーにおいて、前記下降力伝達溝は、前記蓋部側に向かって前記蓋体レバーの回動方向の一方の側に傾いて延びており、前記回動力伝達突起は、前記レバー軸線から径方向における前記回動力伝達突起までの距離が前記レバー軸線から径方向における前記下降ガイド溝の前記蓋部から遠い側の端部までの距離よりも長くなる位置に配置されていることを特徴とする請求項１記載の蓋体開閉装置。
【請求項３】
前記蓋体レバーの前記下降力伝達溝は、前記回転方向の他方の側の端部が前記下降力伝達溝の延び方向に向かって開放されており、前記下降ガイド溝の延び方向の長さ及び前記下降力伝達溝の延び方向の長さは、前記蓋体レバーの前記一方の側への回動によって前記下降ガイド突起が前記下降ガイド溝の前記開口から遠い側の端部に当接した際に、前記下降力伝達突起が前記下降力伝達溝の前記端部に達しているようになっていることを特徴とする請求項２記載の蓋体開閉装置。
【請求項４】
前記下降ガイド突起を、前記下降ガイド溝の前記端部に向かって付勢する弾性体を有することを特徴とする請求項１乃至３のいずれか１項記載の蓋体開閉装置。
【請求項５】
前記回動ガイド溝は、該回動ガイド溝の一部である下降部と該下降部よりも前記蓋部側の部分である回動部とを有しており、前記下降部は、前記蓋体レバーの回動に伴って前記蓋体が前記下降ガイド溝に沿って平行移動するような形に形成されていることを特徴とする請求項１乃至４のいずれか１項記載の蓋体開閉装置。
【請求項６】
前記回動ガイド溝の前記回動部は、前記蓋部に向かって前記蓋体レバーの回動方向の他方の側に傾いて延びていることを特徴とする請求項５記載の蓋体開閉装置。
【請求項７】
前記下降ガイド溝は、前記開口側に向かって前記蓋体レバーの回動方向の一方の側に傾いて延びていることを特徴とする請求項１乃至６のいずれか１項記載の蓋体開閉装置。
【請求項８】
前記下降ガイド突起は、前記下降力伝達突起に背向する位置に形成されていることを特徴とする請求項１乃至７のいずれか１項記載の蓋体開閉装置。
【請求項９】
前記蓋体レバーは、表示装置の表示板を移動可能に保持する一対の案内部材の一方に前記レバー被支持部において支持され、
前記蓋体レバーリンクは、前記一対の案内部材の一方に回動可能に支持され、
前記下降ガイド溝は、前記一対の案内部材の一方に形成されることを特徴とする請求項１乃至８のいずれか１項記載の蓋体開閉装置。
【請求項１０】
前記蓋体レバーに対称な他の蓋体レバーと、前記蓋体レバーリンクに対称な他の蓋体レバーリンクと、前記下降ガイド溝に対称な他の下降ガイド溝とを備えており、
前記蓋体は、前記蓋部リンク部に対称な他の蓋部リンク部を有しており、前記蓋部リンク部と前記他の蓋部リンク部とは互いに対向して前記蓋部に取り付けられており、
前記蓋体レバー、前記蓋体レバーリンク、及び前記下降ガイド溝は、前記他の蓋体レバー、前記他の蓋体レバーリンク、及び前記他の下降ガイド溝に夫々対向していることを特徴とする請求項１乃至９のいずれか１項記載の蓋体開閉装置。
【請求項１１】
請求項１乃至１０のいずれか１項記載の蓋体開閉装置を備えることを特徴とする表示装置。
【発明の詳細な説明】
【技術分野】
【０００１】
本発明は、蓋体開閉装置及び蓋体開閉装置を備える表示装置に関する。
【背景技術】
【０００２】
従来から、自動車等の車両において運転者等に情報を表示する表示装置が使用されている。このような表示装置としては、例えば、ヘッドアップディスプレイと呼ばれるものがある。この種の表示装置は、車両を運転する運転者の視界に情報を表示するように構成さており、運転者の運転の妨げとならないように情報を表示する構成を有している。この種の表示装置としては、ダッシュボード上に配置された表示板としてのコンバイナに情報を表示するものがあり、コンバイナは、表示装置を使用していない時にはダッシュボード内に収納されており、また、表示装置の使用時にはダッシュボード上に配置される。
【０００３】
コンバイナは表示板移動装置によって移動される。例えば、モータの出力がピニオン及びラックを介して上下スライド板に伝えられ、上下スライド板が移動してコンバイナが表示装置から外部に突出し、ダッシュボード上の開口からダッシュボード上に突出する。次いで、ピニオンの噛み合いが横スライド板に取り付けられたラックに移って、横スライド板が軸線方向に移動することにより、コンバイナ保持部が軸線周りに回動して上下スライド板に対して傾倒する。この様にして、上下スライド板が突出方向に移動し、コンバイナ保持部が上下スライド板に対して傾倒することにより、車両においてダッシュボード上にコンバイナが突出方向から傾倒して角度調整された状態に保持される（例えば、特許文献１参照。）。
【０００４】
コンバイナが表示装置の内部に収納された収納状態において、ダッシュボード上の開口は蓋体によって閉じられており、コンバイナは上方において蓋体に覆われている。コンバイナがダッシュボード上に移動される際には、蓋体は蓋体開閉装置によって移動され、ダッシュボード上の開口が開放される。蓋体開閉装置において、蓋体は、一対の蓋体レバーに保持されており、蓋体レバーがコンバイナの両端を保持する一対の案内部材に設けられた軸部周りに揺動されて、蓋体が動かされて開口が開閉される（例えば、特許文献２参照。）。
【先行技術文献】
【特許文献】
【０００５】
【特許文献１】特開２０１６−２２４２８０号公報
【特許文献２】特開２０１５−１２１６３２号公報
【発明の概要】
【発明が解決しようとする課題】
【０００６】
このように、表示装置においては、蓋体を開閉移動させる蓋体レバーの揺動運動のためのスペースが必要となっており、蓋体開閉装置が占めるスペースは表示装置のサイズを決定する一つの要因となっている。表示装置に対しては、液晶ディスプレイ等の発光装置等の配置のため、構成する部材の省スペース化が求められており、蓋体開閉装置に対しても省スペース化が求められていた。
【０００７】
このように、従来の表示装置の蓋体開閉装置に対しては、表示装置において必要とするスペースを少なくすることができる構成が求められていた。
【０００８】
本発明は、上述した課題に鑑みてなされたものであり、その目的は、必要とするスペースを少なくすることができる蓋体開閉装置及び蓋体開閉装置を備える表示装置を提供することにある。
【課題を解決するための手段】
【０００９】
上記目的を達成するために、本発明に係る蓋体開閉装置は、開口を該開口の開放方向の一方の側から閉鎖可能にする蓋体開閉装置であって、前記開口を閉鎖可能に形成された蓋体と、前記蓋体に連結する蓋体レバーと、前記蓋体レバーに連結する蓋体レバーリンクと、前記蓋体が係合可能に形成された溝である下降ガイド溝とを備え、前記蓋体は、前記開口に収容可能に形成された蓋部と、該蓋部に接続している蓋部リンク部とを有しており前記蓋体レバーは、前記蓋体レバーリンクの回動によってレバー軸線周りに回動可能に支持され、前記蓋体は、前記蓋体レバーの回動に伴い、前記レバー軸線側に移動するための下降力伝達突起及び下降ガイド突起と、前記開放方向に回動するための回動ガイド溝とが形成されていることを特徴とする。
【００１０】
本発明の一態様に係る蓋体開閉装置において、前記蓋体レバーは、該蓋体レバーが前記レバー軸線周りに回動可能に支持されることを可能にするレバー被支持部と、前記蓋体レバーの延び方向において前記レバー被支持部に対して一方の側に設けられた溝である下降力伝達溝と、前記レバー被支持部に対して一方の側に設けられた突部である回動力伝達突起と、前記蓋体レバーの延び方向において前記レバー被支持部に対して他方の側に設けられているレバーリンク係合部とを有しており、前記蓋体レバーリンクは、該蓋体レバーリンクが前記レバー軸線に平行に延びるレバーリンク軸線周りに回動可能に支持されることを可能にするリンク被支持部と、前記レバーリンク係合部に係合可能に形成されたレバー係合部とを有しており、前記下降ガイド溝は、前記蓋体の前記蓋部リンク部に対向して延びており、前記蓋部リンク部側から凹んでおり、前記蓋部の前記蓋部リンク部は、前記下降ガイド溝に収容される突部である前記下降ガイド突起と、前記下降ガイド突起とは反対の側に突出する突部である前記下降力伝達突起と、前記蓋部側から前記蓋部から離れる方向に延びる溝であって前記蓋体レバーの前記回動力伝達突起を収容する前記回動ガイド溝とを有しており、前記蓋体レバーにおいて、前記下降力伝達溝は、前記蓋部側に向かって前記蓋体レバーの回動方向の一方の側に傾いて延びており、前記回動力伝達突起は、前記レバー軸線から径方向における前記回動力伝達突起までの距離が前記レバー軸線から径方向における前記下降ガイド溝の前記蓋部から遠い側の端部までの距離よりも長くなる位置に配置されている。
【００１１】
本発明の一態様に係る蓋体開閉装置において、前記蓋体レバーの前記下降力伝達溝は、前記回転方向の他方の側の端部が前記下降力伝達溝の延び方向に向かって開放されており、前記下降ガイド溝の延び方向の長さ及び前記下降力伝達溝の延び方向の長さは、前記蓋体レバーの前記一方の側への回動によって前記下降ガイド突起が前記下降ガイド溝の前記開口から遠い側の端部に当接した際に、前記下降力伝達突起が前記下降力伝達溝の前記端部に達しているようになっている。
【００１２】
本発明の一態様に係る蓋体開閉装置は、前記下降ガイド突起を、前記下降ガイド溝の前記端部に向かって付勢する弾性体を有する。
【００１３】
本発明の一態様に係る蓋体開閉装置において、前記回動ガイド溝は、該回動ガイド溝の一部である下降部と該下降部よりも前記蓋部側の部分である回動部とを有しており、前記下降部は、前記蓋体レバーの回動に伴って前記蓋体が前記下降ガイド溝に沿って平行移動するような形に形成されている。
【００１４】
本発明の一態様に係る蓋体開閉装置において、前記回動ガイド溝の前記回動部は、前記蓋部に向かって前記蓋体レバーの回動方向の他方の側に傾いて延びている。
【００１５】
本発明の一態様に係る蓋体開閉装置において、前記下降ガイド溝は、前記開口側に向かって前記蓋体レバーの回動方向の一方の側に傾いて延びている。
【００１６】
本発明の一態様に係る蓋体開閉装置において、前記下降ガイド突起は、前記下降力伝達突起に背向する位置に形成されている。
【００１７】
本発明の一態様に係る蓋体開閉装置において、前記蓋体レバーは、表示装置の表示板を移動可能に保持する一対の案内部材の一方に前記レバー被支持部において支持され、前記蓋体レバーリンクは、前記一対の案内部材の一方に回動可能に支持され、前記下降ガイド溝は、前記一対の案内部材の一方に形成される。
【００１８】
本発明の一態様に係る蓋体開閉装置において、前記蓋体レバーに対称な他の蓋体レバーと、前記蓋体レバーリンクに対称な他の蓋体レバーリンクと、前記下降ガイド溝に対称な他の下降ガイド溝とを備えており、前記蓋体は、前記蓋部リンク部に対称な他の蓋部リンク部を有しており、前記蓋部リンク部と前記他の蓋部リンク部とは互いに対向して前記蓋部に取り付けられており、前記蓋体レバー、前記蓋体レバーリンク、及び前記下降ガイド溝は、前記他の蓋体レバー、前記他の蓋体レバーリンク、及び前記他の下降ガイド溝に夫々対向している。
【００１９】
上記目的を達成するために、本発明に係る表示装置は、上述のいずれかの蓋体開閉装置を備えることを特徴とする。
【発明の効果】
【００２０】
本発明に係る表示板の蓋体開閉装置及び表示板の蓋体開閉装置を備える表示装置によれば、必要とするスペースを少なくすることができる。
【図面の簡単な説明】
【００２１】
【図１】本発明の実施の形態に係る蓋体開閉装置の概略構成を示す斜視図である。
【図２】図１に示す蓋体開閉装置を図１とは反対側から見た、蓋体開閉装置の概略構成を示す斜視図である。
【図３】図１に示す蓋体開閉装置の蓋体の左側面図である。
【図４】図１の線Ａ−Ａに沿う蓋体の断面図である。
【図５】蓋体開閉装置における蓋体レバーの左側面図である。
【図６】蓋体開閉装置における蓋体レバーの右側面図である。
【図７】蓋体開閉装置における蓋体レバーリンクの左側面図である。
【図８】蓋体開閉装置における蓋体レバーリンクの右側面図である。
【図９】蓋体開閉装置における下降ガイド溝の左側面図である。
【図１０】蓋体開閉装置における蓋体、蓋体レバー、及び蓋体レバーリンクの分解斜視図である。
【図１１】図１に示す蓋体開閉装置の左側面図である。
【図１２】蓋体開閉装置の動作を説明するための側面図であり、閉じ状態における蓋体開閉装置を示している。
【図１３】蓋体開閉装置の動作を説明するための側面図であり、蓋体の下降移動が終了した状態における蓋体開閉装置を示している。
【図１４】蓋体開閉装置の動作を説明するための側面図であり、開放状態における蓋体開閉装置を示している。
【図１５】本発明の実施の形態に係る表示装置の概略構成を示す斜視図である。
【図１６】表示装置の動作を説明するための側面図であり、収納状態における表示装置を示している。
【図１７】蓋体開閉装置の動作を説明するための側面図であり、蓋体が下降移動をしている状態における表示装置を示している。
【図１８】蓋体開閉装置の動作を説明するための側面図であり、蓋体が下降移動を終了した状態における表示装置を示している。
【図１９】蓋体開閉装置の動作を説明するための側面図であり、蓋体が開放回転移動している状態における表示装置を示している。
【図２０】蓋体開閉装置の動作を説明するための側面図であり、蓋体の開放状態における表示装置を示している。
【図２１】蓋体開閉装置の動作を説明するための側面図であり、突出状態における表示装置を示している。
【発明を実施するための形態】
【００２２】
以下、本発明の実施の形態について図面を参照しながら説明する。
【００２３】
図１は、本発明の実施の形態に係る蓋体開閉装置１の概略構成を示す斜視図であり、図２は、図１に示す蓋体開閉装置１を図１とは反対側から見た、蓋体開閉装置１の概略構成を示す斜視図である。蓋体開閉装置１は、蓋体開閉装置１の外部にある開口を開放及び閉鎖するための装置である。開口は、例えば、蓋体開閉装置１が適用される装置や、蓋体開閉装置１が適用される装置が取り付けられる装置又は部材等（以下、適用対象ともいう。）に形成されている。
【００２４】
図１，２には、蓋体開閉装置１が開口Ｐを閉じる状態である閉じ状態で蓋体開閉装置１が示されている。図１，２において、矢印Ｏは開口Ｐの開放方向を示しており、蓋体開閉装置１が適用対象に取り付けられる蓋体開閉装置１の使用状態における閉じ状態の蓋体開閉装置１に対する開放方向Ｏが示されている。蓋体開閉装置１は、開口Ｐの開放方向Ｏにおける一方の側（図１，２の矢印ｂ方向側）から、開口Ｐを閉鎖する。以下、説明の便宜上、開放方向Ｏにおいて一方の側（矢印ｂ方向）を下側とし、開放方向Ｏにおいて一方の側とは反対側の他方の側（図１，２の矢印ａ方向側）を上側とする。また、開放方向Ｏに直交する方向（図１，２の矢印Ｌ方向）を横方向とし、横方向Ｌにおいて一方の側（矢印ｃ方向側）を左側とし、横方向Ｌにおいて一方の側とは反対側の他方の側（図１，２の矢印ｄ方向側）を右側とする。
【００２５】
蓋体開閉装置１は、開口Ｐを閉鎖可能に形成された蓋体１０と、蓋体１０に連結する蓋体レバー２０と、蓋体レバー２０に連結する蓋体レバーリンク３０と、蓋体１０が係合可能に形成された溝である下降ガイド溝４０とを備えている。蓋体１０は、開口Ｐに収容可能に形成された蓋部１１と、蓋部１１に接続している蓋部リンク部１２とを有している。蓋体レバー２０は、蓋体レバーリンク３０の回動によってレバー軸線ｘ２周りに回動可能に支持されている。蓋体開閉装置１は、蓋体レバー２０に対称な他の蓋体レバーとしての蓋体レバー２０´と、蓋体レバーリンク３０に対称な他の蓋体レバーリンクとしての蓋体レバーリンク３０´と、下降ガイド溝４０に対称な他の下降ガイド溝としての下降ガイド溝４０´とを備えている。また、蓋体１０は、蓋部リンク部１２に対称な他の蓋部リンク部としての蓋部リンク部１２´を有しており、蓋部リンク部１２と蓋部リンク部１２´とは互いに対向して蓋部１１に取り付けられている。より具体的には、蓋部リンク部１２と蓋部リンク部１２´とは、蓋部１１の延び方向（長手方向）において互いに対向している。また、蓋体レバー２０、蓋体レバーリンク３０、及び下降ガイド溝４０は、蓋体レバー２０´、蓋体レバーリンク３０´、及び下降ガイド溝４０´に夫々対向している。蓋部リンク部１２´、蓋体レバー２０´、蓋体レバーリンク３０´、及び下降ガイド溝４０´は、夫々、蓋部リンク部１２、蓋体レバー２０、蓋体レバーリンク３０、及び下降ガイド溝４０に対称（鏡面対称）な構成を有しており、また、蓋体開閉装置１において対称となる位置に配設されている。以下、蓋部リンク部１２´、蓋体レバー２０´、蓋体レバーリンク３０´、及び下降ガイド溝４０´の詳細な説明は省略し、夫々対称な蓋部リンク部１２、蓋体レバー２０、蓋体レバーリンク３０、及び下降ガイド溝４０の説明を、蓋部リンク部１２´、蓋体レバー２０´、蓋体レバーリンク３０´、及び下降ガイド溝４０´についての説明とする。
【００２６】
図３は、蓋体１０の左側面図であり、図４は、図１の線Ａ−Ａに沿う蓋体１０の断面図である。図４においては、内部側から見た蓋部リンク部１２が示されている。
【００２７】
上述のように、蓋体１０は、蓋部１１と、蓋部１１に接続している蓋部リンク部１２とを有している。蓋体１０は、具体的には蓋部リンク部１２は、図３，４に示すように、蓋体レバー２０のレバー軸線ｘ２周りの回動に伴い、レバー軸線ｘ２側（下側）に移動するための下降ガイド突起１３及び下降力伝達突起１４と、開放方向Ｏ（又は前後方向）に回動するための回動ガイド溝１５とを有している。下降ガイド突起１３は、下降ガイド溝４０に収容される突部であり、下降力伝達突起１４は、下降ガイド突起１３とは反対の側に突出する突部である。回動ガイド溝１５は、蓋部１１側から蓋部１１から離れる方向に、つまり、上側（矢印ａ方向側）から下側（矢印ｂ方向側）に延びる溝であって、後述する蓋体レバー２０の回動力伝達突起２３を収容する。
【００２８】
具体的には、蓋部１１は、開口Ｐに対応した形状を有しており、開口Ｐ内に入り、開口Ｐの空間を覆う形状を有している。蓋部１１は、例えば、開口Ｐとの間に隙間を有して、開口Ｐの空間を覆う形状となっている。この隙間は、例えば、後述する蓋体開閉装置１の開閉作動の際に、蓋部１１が開口Ｐの縁部と干渉することなく、開口Ｐ内に入り、また、蓋部１１が開口Ｐから出られるような幅の隙間である。蓋部１１は、例えば、横方向Ｌに長い矩形の板状の形状となっており、後述する適用対象としての表示装置の表示部であるコンバイナを収納状態において開口部Ｐ側から覆うことができるような形状となっている。蓋部１１は、互いに背向する面である上側面１１ａと、下側面１１ｂとを有している。上側面１１ａは、開口Ｐの開放方向Ｏにおいて上側（矢印ａ方向）に面する面であり、例えば、蓋部１１が開口Ｐに収容された状態において開口Ｐと面一となる面となっている。下側面１１ｂは、開口Ｐの開放方向Ｏにおいて下側（矢印ｂ方向）に面する面である。
【００２９】
蓋部リンク部１２は、蓋部１１の長手方向（横方向Ｌ）の端部に接続されている。蓋部リンク部１２は、例えば図１，２に示すように、蓋部１１の長手方向における左側（矢印ｃ方向側）の端部（端部１１ｃ）に接続されている。なお、この場合、蓋部リンク部１２´は、蓋部１１の長手方向における右側（矢印ｄ方向側）の端部（端部１１ｄ）に接続されている。蓋部リンク部１２は、蓋部１１の下側面１１ｂが面する方向（下側）に向かって延びている。蓋部リンク部１２は、板状の部分であり、互いに背向する面である外側面１２ａと内側面１２ｂとを有している。蓋部リンク部１２は、内側面１２ｂにおいて、蓋部リンク部１２´に対向しており、内側面１２ｂは、蓋部１１の長手方向Ｌにおいて内部側（右側）に面している。蓋部リンク部１２は、図１，２に示すように、蓋部１１の延び方向に延びる部分である接続部１２ｃを有していて、この接続部１２ｃにおいて蓋部１１に接続されていてもよい。接続部１２ｃは、蓋部１１の上側面１１ａよりも下側に位置しており、蓋部１１が開口Ｐ内に進入できるようになっている。
【００３０】
蓋部リンク部１２において、下降ガイド突起１３は、内側面１２ｂから内部側に突出している。下降ガイド突起１３は、例えば、円筒状又は略円筒状の突部であり、後述する下降ガイド溝４０に収容されて、下降ガイド溝４０内を滑らかに移動可能な形状となっている。下降力伝達突起１４は、外側面１２ａから突出しており、下降ガイド突起１３とは反対側に、外部側に向かって延びている。下降力伝達突起１４は、例えば、円筒状又は略円筒状の突部であり、後述する蓋体レバー２０の下降力伝達溝２２ガイド溝４０に収容されて、下降力伝達溝２２内を滑らかに移動可能な形状となっている。下降ガイド突起１３と下降力伝達突起１４とは、蓋部リンク部１２において互いに背向する位置に設けられており、同一直線上又は略同一直線上に延びている。下降ガイド突起１３と下降力伝達突起１４とは、蓋部リンク部１２において互いに背向する位置に設けられていなくてもよい。
【００３１】
回動ガイド溝１５は、外周面１２ａに形成された溝であり、内周面１２ｂまで達しており、蓋部リンク部１２を貫通している。回動ガイド溝１５は、内周面１２ｂまで達しておらず、蓋部リンク部１２を貫通していなくてもよい。回動ガイド溝１５は、回動ガイド溝１５の一部である下降部１６と、この下降部１６よりも蓋部１１側の部分である回動部１７とを有している。図３に示すように、回動ガイド溝１５は、蓋部１１の短手方向（矢印Ｔ方向）において、下降力伝達突起１４よりも左側に位置している。以下、蓋体１０を長手方向Ｌにおいて左側から見て（図１，２参照）、蓋部１１の短手方向Ｔにおいて左側を前側（図１〜４の矢印ｅ方向側）ともいい、蓋部１１の短手方向Ｔにおいて右側を後側（図１〜４の矢印ｆ方向側）ともいう。回動ガイド溝１５の具的な形状については後述する。
【００３２】
図５は、蓋体開閉装置１における蓋体レバー２０の左側面図であり、図６は、蓋体レバー２０の右側面図である。図５，６に示すように、蓋体レバー２０は、レバー被支持部２１と、下降力伝達溝２２と、回動力伝達突起２３と、レバーリンク係合部２４とを有している。レバー被支持部２１は、蓋体レバー２０がレバー軸線ｘ２周りに回動可能に支持されることを可能にする部分である。下降力伝達溝２２は、蓋体レバー２０の延び方向においてレバー被支持部２１に対して一方の側（上側）に設けられた溝である。回動力伝達突起２３は、レバー被支持部２１に対して一方の側（上側）に設けられた突部である。レバーリンク係合部２４は、蓋体レバー２０の延び方向においてレバー被支持部２１に対して他方の側（下側）に設けられている部分である。
【００３３】
具体的には、図５，６に示すように、蓋体レバー２０は、一方の側（上側）の端の部分である上端部分２０ａから、他方の側（下側）の端の部分である下端部分２０ｂまで延びている。蓋体レバー２０は、例えば、直線状又は略直線状に延びている。また、蓋体レバー２０は、板状の部材であり、互いに背向する面である外側面２０ｃと内側面２０ｄとを有している。外側面２０ｃは、長手方向Ｌにおいて矢印ｃ方向である外側（図１，２参照）に面する面であり、内側面２０ｄ、長手方向Ｌにおいて矢印ｄ方向である内側（図１，２参照）に面する面である。蓋体レバー２０において、上端部分２０ａと下端部分２０ｂとの間には、レバー被支持部２１が形成されている。レバー被支持部２１は、例えば、外側面２０ｃと内側面２０ｄとの間を貫通する貫通孔であり、軸が挿入されてこの軸周りに蓋体レバー２０が回動可能となるようになっている。図５，６に示すように、蓋体レバー２０は、レバー軸線ｘ２周りに回動可能となっており、蓋体開閉装置１においては、蓋体レバー２０は、レバー軸線ｘ２周りに前側（矢印ｅ方向側）及び後側（矢印ｆ方向側）に揺動可能になっている。
【００３４】
下降力伝達溝２２は、内側面２０ｄに形成されており、外側面２０ｃ側に凹む溝であり、蓋体レバー２０において、上端部分２０ａに、又はレバー被支持部２１よりも上端部分２０ａ側に設けられている。また、下降力伝達溝２２は、図５に示すように、蓋部１１側に向かって、蓋体レバー２０の回動方向の一方の側である前側（矢印ｅ方向）に傾いて延びている。具体的には、使用状態における閉じ状態の蓋体開閉装置１に対する開口Ｐの開放方向Ｏに対して、下降力伝達溝２２は、上側（矢印ａ方向）に向かって蓋体レバー２０の前側の回動方向に傾いて延びている。また、下降力伝達溝２２は、図６に示すように、蓋体レバー２０の後側の回動方向側（矢印ｆ側）の端部である後側端２２ａが下降力伝達溝２２の延び方向に向かって開放されている。下降力伝達溝２２の具的な形状については後述する。
【００３５】
回動力伝達突起２３は、蓋体レバー２０において、上端部分２０ａに、又はレバー被支持部２１よりも上端部分２０ａ側に設けられている。回動力伝達突起２３は、図６に示すように、内側面２０ｄに形成されており、内側面２０ｄから突出した突出部である。回動力伝達突起２３は、例えば、円筒状の形状を有しており、蓋体開閉装置１において、蓋部リンク部１２の回動ガイド溝１５に収容可能に、また、回動ガイド溝１５内を滑らかに動くことができるように形成されている。
【００３６】
レバーリンク係合部２４は、具体的には、蓋体レバー２０の下端部分２０ｂの下端部２０ｅに形成されており、例えば、蓋体レバー２０の回動方向に複数の歯２４ａが並んで形成された歯車の一部である。
【００３７】
図７は、蓋体レバーリンク３０の左側面図であり、図８は、蓋体レバーリンク３０の右側面図である。図１，２，７，８に示すように、蓋体レバーリンク３０は、蓋体レバーリンク３０がレバー軸線ｘ２に平行に延びるレバーリンク軸線ｘ３周りに回動可能に支持されることを可能にするリンク被支持部３１と、レバーリンク係合部２４に係合可能に形成されたレバー係合部３２とを有している。蓋体レバーリンク３０は、例えば、板状の部材であり、互いに背向する面である外側面３０ａと内側面３０ｂとを有している。
【００３８】
蓋体レバーリンク３０において、リンク被支持部３１は、例えば、外側面３０ａと内側面３０ｂとの間を貫通する貫通孔であり、軸が挿入されてこの軸周りに回動可能となるようになっている。図１，２に示すように、蓋体レバーリンク３０は、レバーリンク軸線ｘ３周りに回動可能となっており、蓋体開閉装置１においては、蓋体レバーリンク３０は、レバーリンク軸線ｘ３周りに前側（矢印ｅ方向側）及び後側（矢印ｆ方向側）に揺動可能になっている。
【００３９】
レバー係合部３２は、具体的には、蓋体レバーリンク３０の上側の端部の一部に形成されており、例えば、蓋体レバーリンク３０の回動方向に複数の歯３２ａが並んで形成された歯車の一部であり、蓋体レバー２０のレバーリンク係合部２４に噛み合い可能に形成されている。レバー係合部３２は、蓋体開閉装置１において、蓋体レバー２０のレバーリンク係合部２４に係合するように形成されており、蓋体レバーリンク３０がレバーリンク軸線ｘ３周りに揺動されると、レバー係合部３２及びレバーリンク係合部２４を介して回転力が蓋体レバー２０に伝えられ、蓋体レバー２０がレバー軸線ｘ２周りに揺動するようになっている。具体的には、蓋体レバーリンク３０が前側に回動すると、蓋体レバー２０は後側に回動し、蓋体レバーリンク３０が後側に回動すると、蓋体レバー２０は前側に回動する。
【００４０】
図９は、下降ガイド溝４０の左側面図である。下降ガイド溝４０は、図１，２，９に示すように、蓋体１０の蓋部リンク部１２に対向して延びており、蓋部リンク部１２側から凹んでいる。具体的には、下降ガイド溝４０は、蓋部リンク部１２の内側面１２ｂに対向しており、蓋体開閉装置１において、蓋部リンク部１２よりも内側（右側）に位置しており、蓋部リンク部１２の下降ガイド突起１３を収容している。下降ガイド溝４０は、使用状態における閉じ状態の蓋体開閉装置１に対する開口Ｐの開放方向Ｏに対して、直交しないように延びている。また、下降ガイド溝４０は、少なくとも延び方向における下側（矢印ｂ方向側）の端部（下側端部４１）が閉じられている。図示の実施の形態においては、下降ガイド溝４０は、延び方向における上側（矢印ａ方向側）の端部（外側端部４２）も閉じられており、両端が閉じられた溝となっている。蓋体開閉装置１の使用状態において、下降ガイド溝４０は、開口Ｐに対して相対移動しないように固定されている。例えば、下降ガイド溝４０は、適用対象の部材に固定される。
【００４１】
図１０は、蓋体１０、蓋体レバー２０、及び蓋体レバーリンク３０の分解斜視図である。図１０に示すように、蓋部リンク部１２の下降ガイド突起１３は、下降ガイド溝４０に挿入され、蓋部リンク部１２の下降力伝達突起１４は、蓋体レバー２０の下降力伝達溝２２に挿入される。また、蓋部レバー２０の回動力伝達突起２３は、蓋部リンク部１２の回動ガイド溝１５に挿入される。また、蓋体レバーリンク３０のレバー係合部３２と、蓋体レバー２０のレバーリンク係合部と２４は、上下方向において、互いに係合される。
【００４２】
図１１は、図１に示す蓋体開閉装置１の左側面図である。蓋体開閉装置１において、図１１に示すように、回動力伝達突起２３は、例えば、レバー軸線ｘ２から径方向における回動力伝達突起２３までの距離ｌ１が、レバー軸線ｘ２から径方向における下降ガイド溝４０の蓋部１１から遠い側の下側の端部（下側端部４１）までの距離ｌ２よりも長くなる（ｌ１＞ｌ２）位置に配置されている。これにより、後述するように、蓋体１０の下降移動が終了した際に、蓋体レバー２０の前側への回動によって、蓋体１０が、下降ガイド溝４０の下側端部４１に接触した状態の下降ガイド突起１３を中心として、前側に回動するようになる。
【００４３】
上述の構成により、蓋体レバー２０の前側への回動によって、蓋体レバー２０の下降力伝達溝２２が、蓋部リンク部１２の下降力伝達突起１４を下側に押し、蓋部リンク部１２の下降ガイド突起１３が、下降ガイド溝４０に沿って下側端部４１方向に移動するようになっている。蓋体開閉装置１において、下降ガイド溝４０の延び方向の長さ、及び下降力伝達溝２２の延び方向の長さは、蓋体レバー２０の前側（一方の側）への回動によって、下降ガイド突起１３が下降ガイド溝４０の蓋部１１から遠い側の端部である下側端部４１に当接した際に、下降力伝達突起１４が下降力伝達溝２２の蓋体レバー２０の回転方向の他方の側（後側）の端部である後側端部２２ａに達しているようになっている。
【００４４】
また、蓋体開閉装置１は、図１，２，１１に示すように、蓋部リンク部１２の下降ガイド突起１３を、下降ガイド溝４０の下側端部４１に向かって付勢する弾性体５０を有している。また、蓋体開閉装置１は、対称の蓋部リンク部１２´に対して同様に作用する弾性体５０と同様の弾性体５０´を有している。弾性体５０は、例えばコイルバネである。具体的には、弾性体５０は、蓋体１０の蓋部リンク部１２に一端が取り付けられており、他端が使用状態において蓋体開閉装置１の適用対象の部材に取り付けられる。
【００４５】
図３，４に示すように、蓋部リンク部１２の回動ガイド溝１５の下降部１６は、蓋体レバー２０の回動に伴って蓋体１０が下降ガイド溝４０に沿って平行移動するような形に形成されている。また、回動ガイド溝１５の回動部１７は、蓋部１１に向かって蓋体レバー２０の回動方向において後側（他方の側）に傾いて延びている。回動ガイド溝１４の下降部１６及び回動部１７の形状は他の形状であってもよい。
【００４６】
下降ガイド溝４０は、図９に示すように、開口Ｐ側に向かって蓋体レバー２０の回動方向において前側（一方の側）に傾いて延びている。具体的には、下降ガイド溝４０は、開口Ｐの開放方向Ｏに対して、開口Ｐ側（上側）に向かって前側（矢印ｅ方向）に傾いて延びている。
【００４７】
下降力伝達突起１４は、具体的には、図３，４に示すように、蓋部リンク部１２の外側面１２ａにおいて、下側の端部分（下側端部分１２ｄ）に設けられており、回動ガイド溝１５は、下降力伝達突起１４よりも上側（蓋部１１側）に設けられている。下降ガイド突起１３は、内側面１２ｂの下降力伝達突起１４に背向する位置に設けられている。下降ガイド突起１３と下降力伝達突起１４とは一体となっていてもよい。この場合、例えば、下降ガイド突起１３に対応する部分を一端に、下降力伝達突起１４に対応する部分を他端に有する部材を蓋部リンク部１２に貫通させることにより、蓋部リンク部１２おいて、下降ガイド突起１３及び下降力伝達突起１４が形成される。
【００４８】
また、蓋部リンク部１２の下側端部分１２ｄは、例えば図３，４に示すように、蓋部１１に接続される上側の端部分（上側端部分１２ｅ）よりも後側（矢印ｆ方向）に位置するようになっている。蓋部リンク部１２の形状は他の形状であってもよい。
【００４９】
蓋部リンク部１２の外側面１２ａにおいて、下降力伝達突起１４は、蓋部１１の短手方向Ｔにおいて、回動ガイド溝１５よりも後側に位置している。回動ガイド溝１５の下降部１６は、直線状又は略直線状に延びている。下降部１６は、蓋体レバー２０の回転角度θに対する下降ガイド溝４０内の下降ガイド突起１３の軌跡と、この回転角度θに対する下降力伝達突起１４の軌跡との組み合わせが描く軌跡に沿って延びていることが好ましい。これにより、蓋体レバー２０の回動に伴う蓋体１０の移動を、平行移動とすることができる。回動ガイド溝１５の回動部１７は、蓋部１１に向かって蓋体レバー２０の回動方向における後側（他方の側）に傾いて延びており、例えば図４に示すように、前側に凸となる曲線状に延びている。回動部１７は、これとは違う曲線状に延びていてもよく、直線状に延びていてもよい。
【００５０】
下降ガイド溝４０は、直線状又は略直線状に延びており、図９に示すように、開口Ｐの開放方向Ｏに対して、上側端部４２側が下側端部４１よりも蓋体レバー２０の回動方向における前側となるように傾いている。下降ガイド溝４０は曲線状に延びていてもよく、また、上側端部４２側が下側端部４１よりも後側となるように傾いてもよい。
【００５１】
蓋体レバー２０は、例えば図５，９に示すように、略直線状に延びており、回動力伝達突起２３は、下降力伝達溝２２よりも上側に設けられており、また、回動力伝達突起２３は、下降力伝達溝２２よりも蓋体レバー２０の回動方向における前側に設けられている。下降力伝達溝２２は、直線状又は略直線状に延びている。下降力伝達溝２２は、外側面２０ｃ側が閉じているが、下降力伝達溝２２は、外側面２０ｃを貫通していてもよい。
【００５２】
また、蓋体開閉装置１は、図１に示すように、蓋体レバー２０を蓋体開閉装置１の適用対象に支持するための支持部材２５を有している。支持部材２５は、蓋体レバー２０のレバー被支持部２１に挿入されて支持部材２５を中心として蓋体レバー２０が回動可能となるようになっている。また、支持部材２５は、レバー被支持部２１に挿入された状態で蓋体開閉装置１の適用対象に固定可能になっている。支持部材２５は、例えばボルトであり、先端にねじ山が形成されており、ヘッド側に円筒状又は略円筒状の摺動部が形成されており、この摺動部において蓋体レバー２０は回動可能に支持される。支持部材２５はボルトに限られず、蓋体レバー２０をレバー被支持部２１において回動可能に支持できるものであればよい。
【００５３】
また、蓋体開閉装置１は、蓋体レバーリンク３０を蓋体開閉装置１の適用対象に支持するための支持部材３３を有している。支持部材３３は、蓋体レバーリンク３０のリンク被支持部３１に挿入されて支持部材３３を中心として蓋体レバーリンク３０が回動可能となるようになっている。また、支持部材３３は、リンク被支持部３１に挿入された状態で蓋体開閉装置１の適用対象に固定可能になっている。支持部材３３は、支持部材２５と同様に、例えばボルトであり、先端にねじ山が形成されており、ヘッド側に円筒状又は略円筒状の摺動部が形成されており、この摺動部において蓋体レバーリンク３０は回動可能に支持される。支持部材３３はボルトに限られず、蓋体レバーリンク３０をリンク被支持部３１において回動可能に支持できるものであればよい。
【００５４】
次いで、上述の構成を有する蓋体開閉装置１の動作について説明する。図１２〜図１４は、蓋体開閉装置１の動作を説明するための側面図であり、図１２は、閉じ状態における蓋体開閉装置１を示しており、図１３は、蓋体１０の下降移動が終了した状態における蓋体開閉装置１を示しており、図１４は、開放状態における蓋体開閉装置１を示している。
【００５５】
図１２に示すように、閉じ状態における蓋体開閉装置１において、蓋部１１は、開口Ｐ内に入り込んでおり、開口Ｐを閉鎖している。また、閉じ状態において、蓋部１１の上側面１１ａは、開口Ｐの上側（外側）の縁部と面一になっている。閉じ状態において、下降力伝達突起１４は、下降力伝達溝２２の上側の端部（上側端部２２ｂ）に接触するようになっている。下降力伝達突起１４は、閉じ状態において、下降力伝達溝２２の上側端部２２ｂに接触していなくてもよい。また、閉じ状態において、下降ガイド突起１３は、下降ガイド溝４０の上側端部４２に接触するようになっている。下降ガイド突起１３は、閉鎖状態において、下降ガイド溝４０の上側端部４２に接触していなくてもよい。
【００５６】
閉じ状態において、蓋体レバーリンク３０に駆動力が加えられ、蓋体レバーリンク３０が後側（矢印ｆ方向）に回転を始めると、係合部３２，２４を介して蓋体レバー２０に回転力が伝えられ、蓋体レバー２０が前側（矢印ｅ方向）に回転を始める。これにより、蓋体１０の下降移動が始まる。
【００５７】
閉じ状態において、蓋体レバー２０が前側に回転（以下、前回転ともいう。）をすると、下降力伝達溝２２もレバー軸線ｘ２を中心に前回転し、下降力伝達溝２２が蓋体１０の下降力伝達突起１４を下側に押す。これにより、蓋体１０の下降ガイド突起１３が下降ガイド溝４０に沿って下側端部４１に向かって動き、蓋体１０が下降ガイド溝４０に沿って下側（内側）に移動する下降移動を行う。蓋体レバー２０の前回転に伴い、蓋体１０が下降ガイド溝４０に沿って下降移動を行い、蓋体１０の下降ガイド突起１３が下降ガイド溝４０の下側端部４１に達すると、下降力伝達突起１４が下降力伝達溝２２の開放された後側端部２２ａに達する（図１３参照）。これにより、下降力伝達溝２２と下降力伝達突起１４との間の係合が解除され、下降移動が終わる。下降力伝達溝２２から下降力伝達突起１４が抜け出し、下降移動が終わると、蓋体１０は、下降ガイド溝４０の内側端部４１に接触している下降ガイド突起１３を中心に前回転する回転開放移動を行う。図１３に示すように、弾性体５０が下降ガイド突起１３を下降ガイド溝４０の内側端部４１に押し付けるように蓋体１０を力Ｆにより付勢しているため、下降力伝達溝２２から下降力伝達突起１４が抜け出しても、下降ガイド溝４０の内側端４１への下降ガイド突起１３の接触が維持され、下降ガイド突起１３を中心とする蓋体１０の回転開放移動がなされる。
【００５８】
蓋体レバー２０が前回転を続け、蓋体１０が回転開放移動を続けると、蓋体１０は前側に倒れていき、所定の位置に達すると蓋体１０が開放位置に達し、蓋体レバーリンク３０は後回転を止め、蓋体レバー２０は停止し、蓋体１０は開放位置に位置する開放状態となる（図１４参照）。
【００５９】
一方、蓋体１０の開放状態において、蓋体レバーリンク３０は前回転を始め、蓋体レバー２０が後回転されると、蓋体１０は、上述の回転開放移動とは反対に後回転する回転閉鎖移動を行う。下降力伝達突起１４が下降力伝達溝２２の開放された後側端部２２ａに達し、下降力伝達溝２２内に入ると、回転閉鎖移動が終了する。回転閉鎖移動が終了すると、下降力伝達溝２２が下降力伝達突起１４に係合し、下降力伝達溝２２が下降力伝達突起１４を上側に押す。下降力伝達突起１４が下降力伝達溝２２によって上側に押されると、下降ガイド溝４０の内側端部４１と下降ガイド突起１３との接触が解除され、下降ガイド突起１３が下降ガイド溝４０内を外側端部４２に向かって移動し、蓋体１０は、下降移動とは反対に移動する上昇移動を行う。蓋体１０が上昇移動し、開口Ｐ内に蓋部１１が入り、開口Ｐが閉鎖されると、蓋体レバーリンク３０は前回転を止め、蓋体レバー２０が後回転を止め、蓋体１０の上昇移動が終わり、蓋体開閉装置１は閉じ状態となる。
【００６０】
このように、本発明の実施の形態に係る蓋体開閉装置１は、閉鎖状態から開口Ｐを開く際、先ず開口Ｐから沈む下降移動を行う。このため、回転開放移動の際の蓋体１０の回転領域を小さくすることができる。特に、下降ガイド溝４０の内側端部４１が外側端部４２よりも後側にあり、下降ガイド溝４０が傾斜している場合、下降移動によって蓋体１０は開口Ｐから下降しつつ、後側に移動する。このため、回転開放移動の際に蓋体１０が前側に突き出る領域を小さくすることができ、蓋体１０が移動のために必要とするスペースを小さくすることができる。
【００６１】
このように、本発明の実施の形態に係る蓋体開閉装置１によれば、必要とするスペースを少なくすることができる。
【００６２】
また、本発明の実施の形態に係る蓋体開閉装置１は、閉じ状態から開口Ｐを開く際、先ず開口Ｐから沈む下降移動を行う。このため、その後の回転開放移動の際に、蓋部１１が開口Ｐに干渉することがなく、開口Ｐを閉じた閉じ状態において、開口Ｐの表面と蓋部１１の上側面１１ａとを面一にすることができる。
【００６３】
以下、本発明の実施の形態に係る蓋体開閉装置１が表示装置に適用された使用状態について説明する。図１５は、本発明の実施の形態に係る表示装置６０の概略構成を示す斜視図である。本発明の実施の形態に係る表示装置６０は、表示板としての板状のコンバイナＣと、コンバイナＣの突出移動並びに傾斜移動を行う表示板移動装置としての移動装置Ｍとを備えている。また、表示装置６０は、上述の蓋体開閉装置１と、開口Ｐが形成されたハウジングＨとを備えており、蓋体閉鎖装置１が閉じ状態となると、上述のように蓋体１０の蓋部１１が開口Ｐ閉鎖するようになっている。移動装置Ｍは、ハウジングＨ内の所定の位置に取り付けられている。
【００６４】
移動装置Ｍは、コンバイナＣの収納状態と、コンバイナＣが収納状態から上方へ移動して表示装置６０の開口Ｐから所定の範囲が突出した状態である突出状態との間で、コンバイナＣを上下に移動させる突出移動を行う。また、移動装置Ｍは、突出状態にあるコンバイナＣを、コンバイナの表示面Ｃ１が突出移動方向に平行又は略平行な状態である突出時状態と、コンバイナＣを突出時状態から表示面Ｃ１が下方に向くように傾けていき、表示面Ｃ１が所定の角度下方に傾いた状態である展開状態との間で、コンバイナＣを移動させる傾動移動を行う。また、移動装置Ｍは、展開状態からコンバイナＣの表示面Ｃ１の傾きを調整することができるようになっている。
【００６５】
図１５に示すように、移動装置Ｍは、コンバイナＣの突出移動方向（開放方向Ｏ）に延びるラックである上下ラック６２を有する上下可動部としての上下スライド板６１と、突出移動方向に交差する図示しない軸線周りに回動可能に上下スライド板６１に連結されている、コンバイナＣを保持するための表示板保持部としてのコンバイナ保持部６３と、突出移動方向に交差する方向（横方向）に延びるラックである横ラック６５を有する横方向可動部としての横スライド板６４とを備えている。また、移動装置Ｍは、上下ラック６２及び横ラック６４の少なくともいずれか一方に動力を伝達可能な動力伝達部６６を備えている。動力伝達部６６は、モータ６６ａと、モータ６６ａの出力を上下ラック６２又は横ラック６５を介して上下スライド板６１又は横スライド板６４に夫々伝達するギヤ部６６ｂとを有している。ギヤ部６６ｂは、１つの又は複数のギヤを有している。また、移動装置Ｍは、上下スライド板６１の突出移動方向に延びる互いに対向する一対の部材であって、その間において上下スライド板６１を移動可能に保持する一対の案内部材６７，６８を備えている。
【００６６】
移動装置Ｍにおいて、上下スライド板６１は、モータ６６ａの出力がギヤ部６６ｂ及び上下ラック６２を介して伝えられて、案内部材６７，６８に沿って上下方向Ｏ（開放方向Ｏ）に移動可能になっている。また、横スライド板６４は、モータ６６ａの出力がギヤ部６６ｂ及び横ラック６５を介して伝えられて、案内部材６７，６８の間を横方向Ｌに移動可能になっている。
【００６７】
具体的には、上下スライド板６１の上方への移動によって、コンバイナＣは収納状態から上方へ移動して開口Ｐから外部に突出していき、表示装置６０の開口ＰからコンバイナＣの所定の範囲が突出した状態である突出状態となる。一方、上下スライド板６１の下方への移動によって、コンバイナＣは突出状態から下方へ移動して開口Ｐから内部に進入していき、コンバイナＣ全体が表示装置６０内にいる収納状態となる。また、横スライド板６４の横（例えば右方向）への移動によって、コンバイナ保持部６３が横方向に延びる軸線を中心として上下スライド板６１に対して回動し、コンバイナ保持部６３は上下スライド板６１に対して傾斜していき、コンバイナＣの表示面Ｃ１は下方傾斜していく。表示面Ｃ１が所定の角度下方に傾いた状態である展開状態となると横スライド板６４は停止する。横スライド板６４が左右に移動することにより、展開状態からコンバイナＣの表示面Ｃ１の傾きを調整することができる。横スライド板６４の反対方向（例えば左方向）への移動によって、コンバイナ保持部６３は、展開状態から又は展開状態から調整された状態から突出状態に戻される。移動装置Ｍは上述のように作動する構成を有するものであればよく、移動装置Ｍのより詳細な説明を省略する。
【００６８】
図１５に示すように、表示装置６０において、蓋体開閉装置１は、案内部材６７，６８に取り付けられている。具体的には、蓋体レバー２０が支持部材２５によって左側の案内部材６７に回動可能に固定され、また、蓋体レバーリンク３０が支持部材３３によって左側の案内部材６７に回動可能に固定されている。蓋体レバー２０と蓋体レバーリンク３０とは、案内部材６７において、レバーリンク係合部２４及びレバー係合部３２を介して上述のように係合される位置に支持されている。同様に、蓋体レバー２０´が支持部材２５によって右側の案内部材６８に回動可能に固定され、また、蓋体レバーリンク３０´が支持部材３３によって右側の案内部材６８に回動可能に固定されている。蓋体レバー２０´と蓋体レバーリンク３０´とは、案内部材６８において、蓋体レバー２０と蓋体レバーリンク３０と同様に、レバーリンク係合部２４及びレバー係合部３２を介して上述のように係合される位置に支持されている。
【００６９】
また、下降ガイド溝４０は、上述のように蓋部リンク部１２の下降ガイド突起１３を収容するように、左側の案内部材６７に配設されている。同様に、下降ガイド溝４０´は、上述のように蓋部リンク部１２´の下降ガイド突起１３を収容するように、右側の案内部材６８に配設されている。一端が蓋部リンク部１２に保持された弾性体５０は、蓋部リンク部１２の下降ガイド突起１３が下降ガイド溝４０の下側端部４１に向かって付勢されるように、左側の案内部材６７に、又はハウジングＨや他の表示装置６０の部材に他端が保持されている。同様に、一端が蓋部リンク部１２´に保持された弾性体５０´は、蓋部リンク部１２´の下降ガイド突起１３が下降ガイド溝４０´の下側端部４１に向かって付勢されるように、右側の案内部材６８に、又はハウジングＨや他の表示装置６０の部材に他端が保持されている。
【００７０】
また、表示装置６０は、上下スライド板６１又はコンバイナ保持部６３の上下移動に連動して蓋体レバーリンク３０，３０´が所定の幅を回動（揺動）するようになっている。例えば、図１，２に示すように、蓋体レバーリンク３０，３０´内側に向かって突出した係合突起３４が形成されており、蓋体レバーリンク３０，３０´は、ねじりばね等の弾性体６９によって軸線ｘ３周りに後側（矢印ｆ方向）に回動するように付勢されている。また、上下スライド板６１又はコンバイナ保持部６３は、コンバイナＣの収容状態から上方へ所定の幅移動した位置までの間、蓋体レバーリンク３０，３０´の係合突起３４に上方から係合するようになっている。また、この位置よりも上方に上下スライド板６１又はコンバイナ保持部６３が位置している状態において、上下スライド板６１又はコンバイナ保持部６３は、蓋体レバーリンク３０，３０´の係合突起３４に係合しないようになっている。また、蓋体レバーリンク３０，３０´の係合突起３４は、上下スライド板６１又はコンバイナ保持部６３との係合が解除された後は、案内部材６７，６８等に夫々係合し、蓋体レバーリンク３０，３０´が更に後側に回動しないようになっている。
【００７１】
次いで、上述の構成を有する表示装置６０における蓋体開閉装置１の動作について説明する。図１６〜２１は、表示装置６０の動作を説明するための側面図であり、図１６は、収納状態における表示装置６０を示しており、図１７は、蓋体１０が下降移動をしている状態における表示装置６０を示しており、図１８は、蓋体１０が下降移動を終了した状態における表示装置６０を示しており、図１９は、蓋体１０が開放回転移動している状態における表示装置６０を示しており、図２０は、蓋体１０の開放状態における表示装置６０を示しており、図２１は、突出状態における表示装置６０を示している。
【００７２】
図１６に示すように、コンバイナＣが装置内部に収容された収納状態の表示装置６０において、蓋体開閉装置１は、閉じ状態となっており、蓋部１１は、開口Ｐ内に入り込んでおり、開口Ｐを閉鎖している。閉じ状態において蓋部１１は、コンバイナＣを上方において覆っている。また、このとき、蓋部１１の上側面１１ａは、開口Ｐが形成されているハウジングＨの上側（外側）の面と面一になっている。ハウジングＨの上側面は、例えば乗用車のダッシュボードであり、蓋部１１の上側面１１ａはダッシュボードと面一となり、美感の向上を図ることができる。
【００７３】
収納状態において、動力伝達部６６のモータ６６ａが駆動されると、モータ６６ａの出力がギヤ部６６ｂを介して上下ラック６２に伝えられ、上下スライド板６１が上方に移動する。このとき、上述のように、係合突起３４及び弾性体６９の作用により上下スライド板６１の上方への移動に連動して、蓋体レバーリンク３０がリンク被支持部３１において支持部材３３周りに後側（矢印ｆ方向）に回動させられる。これにより、係合部３２，２４を介して、蓋体レバー２０がレバー被支持部２１において支持部材２５周りに前側（矢印ｅ方向）に回動させられる。そして、蓋体レバー２０の前回動により、上述のように下降力伝達溝２２によって蓋体１０の下降力伝達突起１４が下側に押され、蓋体１０の下降ガイド突起１３が下降ガイド溝４０に沿って下側端部４１に向かって動き、蓋体１０が下降ガイド溝４０に沿って下側に下降移動を行う。これにより、蓋部１１が開口Ｐから下方に移動し、開口Ｐが開放される（図１７）。
【００７４】
そして、上下スライド板６１が上方に移動し続けると、上下スライド板６１の上方への移動に連動して蓋体レバーリンク３０が後回動を続け、蓋体レバー２０が前回動を続け、蓋体１０が下降移動を続ける。蓋体レバー２０が所定の角度の前回転を行うと、上述のように蓋体１０の下降ガイド突起１３が下降ガイド溝４０の下側端部４１に達し（図１３参照）、下降力伝達突起１４が下降力伝達溝２２の開放された後側端部２２ａに達する（図１７）。これにより、下降力伝達溝２２と下降力伝達突起１４との間の係合が解除され、蓋体１０の下降移動が終わる。
【００７５】
下降力伝達溝２２から下降力伝達突起１４が抜け出し、下降移動が終わると、蓋体レバー２０の回動力伝達突起２３が蓋部リンク部１２の回動ガイド溝１５の下降部１６を抜けて回動部１７に入り、回動力伝達突起２３が回動部１７に沿って蓋部１１側へ移動する。これにより、蓋体１０は、下降ガイド溝４０の内側端４１に接触している下降ガイド突起１３を中心に前回転する回転開放移動を行う。上下スライド板６１の上方への移動により、蓋体レバーリンク３０が後回動を続け、蓋体レバー２０が前回転を続け、蓋体１０が回転開放移動を続けると、蓋体１０は前側に倒れていき、また、コンバイナＣは開放Ｐに近づいていく。蓋体１０が回転開放移動を続け、蓋体１０が開放位置に達すると、上下スライド板６１と蓋体レバーリンク３０との間の係合が解かれ、蓋体レバーリンク３０は後回転を止め、蓋体レバー２０は停止し、蓋体１０は開放位置に位置する開放状態となる（図２０参照）。また、このとき、蓋体レバーリンク３０の係合突起３４は、上述のように、案内部材６７等に接触する。蓋体レバーリンク３０は、弾性体６９によって後回転方向に付勢されているため、蓋体レバーリンク３０の係合突起３４と案内部材６７等との間の係合が保持され続け、蓋体１０が開放位置に保持され続ける。蓋体１０は開放位置に達すると、コンバイナＣの上下方向への十分な通路が形成される。
【００７６】
そして、上下スライド板６１が上方へ移動し続け、コンバイナＣが開口Ｐを超えて開口Ｐから突出していき、コンバイナＣが所定の範囲開口Ｐから飛び出した突出状態になると、ギヤ部６６ｂと上下ラック６２との間の連結が解除され、上下スライド板６１の移動は終了する（図２１）。その後、ギヤ部６６ｂと横ラック６５とが連結され、モータ６６ａの動力が横ラック６５に伝えられ、横スライド板６４が移動し、コンバイナＣが傾倒され、展開状態となる。コンバイナＣの展開状態から収納状態への移動、蓋体開閉装置１の閉鎖動作は、上述の表示装置６０の動作が逆に行われることによりなされる。
【００７７】
なお、表示装置６０において、右側の案内部材６８に支持されている蓋体レバー２０´及び蓋体レバーリンク３０´、右側に位置する蓋部リンク部１２´は、上述の蓋体レバー２０、蓋体レバーリンク３０´、及び蓋部リンク部１２´と同様に作動する。
【００７８】
このように、本発明の実施の形態に係る蓋体開閉装置１は、閉鎖状態から開口Ｐを開く際、先ず開口Ｐから沈む下降移動を行う。このため、回転開放移動の際の蓋体１０の回転領域を小さくすることができる。特に、下降ガイド溝４０の内側端部４１が外側端部４２よりも後側にあり、下降ガイド溝４０が傾斜している場合、下降移動によって蓋体１０は開口Ｐから下降しつつ、後側に移動する。このため、回転開放移動の際に蓋体１０が前側に突き出る領域を小さくすることができ、蓋体１０が移動のために必要とするスペースを小さくすることができる。
【００７９】
このように、本発明の実施の形態に係る表示装置６０によれば、蓋体開閉装置１が、閉鎖状態から開口Ｐを開く際、先ず開口Ｐから沈む下降移動を行う。このため、回転開放移動の際の蓋体１０の回転領域を小さくすることができる。特に、下降ガイド溝４０の内側端部４１が外側端部４２よりも後側にあり、下降ガイド溝４０が傾斜している場合、下降移動によって蓋体１０は開口Ｐから下降しつつ、後側に移動する。このため、回転開放移動の際に蓋体１０が前側に突き出る領域を小さくすることができ、蓋体１０が移動のために必要とするスペースを小さくすることができる。
【００８０】
このように、本発明の実施の形態に係る表示装置６０によれば、蓋体開放装置１の動作に必要となるスペースを少なくすることができ、表示装置６０の小型化を図ることができる。また、蓋部１１の上側面１１ａをハウジングＨと面一にすることができ、表示装置６０の美感の向上を図ることができる。
【００８１】
以上、本発明の好適な実施の形態について説明したが、本発明は上記の実施の形態に係る蓋体開閉装置１や表示装置６０に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上述の実施の形態における各構成要素の形状、材料、配置、サイズ等は、本発明の具体的使用態様によって適宜変更され得る。
【００８２】
例えば、本発明の実施の形態に係る蓋体開閉装置１は、蓋部リンク部１２、蓋体レバー２０、蓋体レバーリンク３０、及び下降ガイド溝４０に夫々対称な、蓋部リンク部１２´、蓋体レバー２０´、蓋体レバーリンク３０´、及び下降ガイド溝４０´を有しているとしたが、蓋体開閉装置１は、蓋部リンク部１２´、蓋体レバー２０´、蓋体レバーリンク３０´、及び下降ガイド溝４０´を有していなくてもよい。
【００８３】
また、蓋体レバー２０の下降力伝達溝２２は、後側端部２２ａにおいて開放しているとしたが、下降力伝達溝２２は後側端部２２ａにおいて開放しておらず、上述の下降力伝達溝２２よりも長く延びていてもよい。この場合、この下降力伝達溝２２の更に延びている部分は、蓋体１０の回転開放移動及び回転閉鎖移動の際に、下降ガイド突起１３が下降ガイド溝４０の下側端部４１に接触し続けるような形状となっている。これにより、弾性体５０を省略でき、蓋体１０の回転開放移動及び回転閉鎖移動の中心を、弾性体５０で蓋体１０を付勢することなく、下降ガイド溝４０の下側端部４１に接触している下降ガイド突起１３に維持することができる。
【符号の説明】
【００８４】
１・・・蓋体開閉装置、１０・・・蓋体、１１・・・蓋部、１１ａ・・・上側面、１１ｂ・・・下側面、１１ｃ，１１ｄ・・・端部、１２，１２´・・・蓋部リンク部、１２ａ・・・外側面、１２ｂ・・・内側面、１２ｃ・・・接続部、１２ｄ・・・下側端部分、１２ｅ・・・上側端部分、１３・・・下降ガイド突起、１４・・・下降力伝達突起、１５・・・回動ガイド溝、１６・・・下降部、１７・・・回動部、２０，２０´・・・蓋体レバー、２０ａ・・・上端部分、２０ｂ・・・下端部分、２０ｃ・・・外側面、２０ｄ・・・内側面、２０ｅ・・・下端部、２１・・・レバー被支持部、２２・・・下降力伝達溝、２２ａ・・・後側端部、２２ｂ・・・上側端部、２３・・・回動力伝達突起、２４・・・レバーリンク係合部、２４ａ・・・歯、２５・・・支持部材、３０，３０´・・・蓋体レバーリンク、３０ａ・・・外側面、３０ｂ・・・内側面、３１・・・リンク被支持部、３２・・・レバー係合部、３２ａ・・・歯、３３・・・支持部材、３４・・・係合突起、４０，４０´・・・下降ガイド溝、４１・・・下側端部、４２・・・上側端部、５０，５０´・・・弾性体、６０・・・表示装置、６１・・・上下スライド板、６２・・・上下ラック、６３・・・コンバイナ保持部、６４・・・横スライド板、６５・・・横ラック、６６・・・動力伝達部、６６ａ・・・モータ、６６ｂ・・・ギヤ部、６７，６８・・・案内部材、６９・・・弾性体、Ｃ・・・コンバイナ、Ｃ１・・・表示面、Ｈ・・・ハウジング、Ｍ・・・移動装置、Ｏ・・・開口方向、Ｐ・・・開口、ｘ２・・・レバー軸線、ｘ３・・・レバーリンク軸線。
【図１】
2018197794.tif 000003
【図２】
2018197794.tif 000004
【図３】
2018197794.tif 000005
【図４】
2018197794.tif 000006
【図５】
2018197794.tif 000007
【図６】
2018197794.tif 000008
【図７】
2018197794.tif 000009
【図８】
2018197794.tif 000010
【図９】
2018197794.tif 000011
【図１０】
2018197794.tif 000012
【図１１】
2018197794.tif 000013
【図１２】
2018197794.tif 000014
【図１３】
2018197794.tif 000015
【図１４】
2018197794.tif 000016
【図１５】
2018197794.tif 000017
【図１６】
2018197794.tif 000018
【図１７】
2018197794.tif 000019
【図１８】
2018197794.tif 000020
【図１９】
2018197794.tif 000021
【図２０】
2018197794.tif 000022
【図２１】
2018197794.tif 000023